(57)【要約】【課題】携帯端末自身の紛失を検出可能な携帯端末、紛失検出方法、及び、紛失検出プログラムを提供する。【解決手段】携帯電話機１は、携帯電話機本体２と、第１所定時間を記憶する第１所定時間記憶部３と、時間を計測する第１タイマ４と、携帯電話機本体２の移動を検知可能な移動検知部５と、移動検知部５が携帯電話機本体２の移動を検知したら、第１タイマ４を初期化する第１タイマ初期化部６と、第１タイマ４が計測した時間が第１所定時間に達したら、携帯電話機１自身が紛失された状態にあると判定する第１紛失判定部７と、を備える。【選択図】図１
2012080434.tif 000002
【特許請求の範囲】
【請求項１】
携帯端末本体と、
第１所定時間を記憶する第１所定時間記憶手段と、
時間を計測する第１タイマと、
前記携帯端末本体の移動を検知可能な移動検知手段と、
前記移動検知手段が前記携帯端末本体の移動を検知したら、前記第１タイマを初期化する第１タイマ初期化手段と、
前記第１タイマが計測した時間が前記第１所定時間に達したら、携帯端末自身が紛失された状態にあると判定する第１紛失判定手段と、
を備えた、
携帯端末。
【請求項２】
請求項１に記載の携帯端末であって、
通話を行うための通話手段と、
第２所定時間を記憶する第２所定時間記憶手段と、
時間を計測する第２タイマと、
ユーザが操作可能な入力手段と、
通話着信があったら、前記第２タイマの計測を開始させる第２タイマ開始手段と、
前記入力手段が操作されたら、前記第２タイマの計測を停止させる第２タイマ停止手段と、
前記第２タイマが計測した時間が前記第２所定時間に達したら、携帯端末自身が紛失された状態にあると判定する第２紛失判定手段と、
を更に備えた、
携帯端末。
【請求項３】
請求項１に記載の携帯端末であって、
Eメールの送受信を行うためのEメール送受信手段と、
第３所定時間を記憶する第３所定時間記憶手段と、
時間を計測する第３タイマと、
ユーザが操作可能な入力手段と、
Eメール着信があったら、前記第３タイマの計測を開始させる第３タイマ開始手段と、
前記入力手段が操作されたら、前記第３タイマの計測を停止させる第３タイマ停止手段と、
前記第３タイマが計測した時間が前記第３所定時間に達したら、携帯端末自身が紛失された状態にあると判定する第３紛失判定手段と、
を更に備えた、
携帯端末。
【請求項４】
請求項１に記載の携帯端末であって、
私的データを記憶する私的データ記憶手段と、
前記第１紛失判定手段により前記携帯端末自身が紛失された状態にあるとの判定がなされた場合は、前記私的データ記憶手段に記憶されている前記私的データへのアクセスを禁止するアクセス禁止手段と、
を更に備えた、
携帯端末。
【請求項５】
請求項４に記載の携帯端末であって、
Eメールの送受信を行うEメール送受信手段と、
前記第１紛失判定手段により前記携帯端末自身が紛失された状態にあるとの判定がなされた場合は、所定宛先へ紛失通知Eメールを送信する紛失通知手段と、
を更に備えた、
携帯端末。
【請求項６】
請求項５に記載の携帯端末であって、
第４所定時間を記憶する第４所定時間記憶手段と、
時間を計測する第４タイマと、
前記紛失通知手段による前記紛失通知Eメールの送信があったら、前記第４タイマの計測を開始させる第４タイマ開始手段と、
前記アクセス禁止手段による前記私的データへのアクセスの禁止を解除する旨の解除メールを受信したら、前記第４タイマの計測を停止させる第４タイマ停止手段と、
前記第４タイマが計測した時間が前記第４所定時間に達したら、前記私的データを前記私的データ記憶手段から消去する私的データ消去手段と、
を更に備えた、
携帯端末。
【請求項７】
請求項６に記載の携帯端末であって、
データ通信を行うためのデータ通信手段を更に備えており、
前記私的データ消去手段は、前記私的データを消去する前に、予め、前記私的データを所定のサーバに送信して退避させる、
携帯端末。
【請求項８】
携帯端末本体の移動を最後に検知してから所定時間が経過したら携帯端末自身が紛失された状態にあると判定する、
携帯端末の紛失検出方法。
【請求項９】
コンピュータを、
携帯端末本体の移動を最後に検知してから所定時間が経過したら携帯端末自身が紛失された状態にあると判定する紛失判定手段として機能させる、
携帯端末の紛失検出プログラム。
【発明の詳細な説明】
【技術分野】
【０００１】
本発明は携帯端末、紛失検出方法、及び、紛失検出プログラムに関する。
【背景技術】
【０００２】
この種の技術として、特許文献１は、携帯情報端末装置を紛失した場合に、その携帯情報端末装置内のデータを保護する携帯情報端末装置管理システムを提案している。このシステムでは、利用者に生体データ検出端末装置を常時装着させると共に、携帯情報端末装置と生体データ検出端末装置との間の距離が所定範囲を超えた場合、携帯情報端末装置内のデータを保護するようにしている。
【先行技術文献】
【特許文献】
【０００３】
【特許文献１】特開２００８−１９１８７５号公報
【発明の概要】
【発明が解決しようとする課題】
【０００４】
しかし、上述した特許文献１の技術では、利用者に生体データ検出端末装置を常時装着させる必要があるため、改善の余地があった。
【０００５】
本願発明の目的は、携帯端末自身の紛失を検出可能な携帯端末、紛失検出方法、及び、紛失検出プログラムを提供することにある。
【課題を解決するための手段】
【０００６】
本願発明の第１の観点によれば、携帯端末本体と、第１所定時間を記憶する第１所定時間記憶手段と、時間を計測する第１タイマと、前記携帯端末本体の移動を検知可能な移動検知手段と、前記移動検知手段が前記携帯端末本体の移動を検知したら、前記第１タイマを初期化する第１タイマ初期化手段と、前記第１タイマが計測した時間が前記第１所定時間に達したら、携帯端末自身が紛失された状態にあると判定する第１紛失判定手段と、を備えた、携帯端末が提供される。
【０００７】
本願発明の第２の観点によれば、携帯端末本体の移動を最後に検知してから所定時間が経過したら携帯端末自身が紛失された状態にあると判定する、携帯端末の紛失検出方法が提供される。
【０００８】
本願発明の第３の観点によれば、コンピュータを、携帯端末本体の移動を最後に検知してから所定時間が経過したら携帯端末自身が紛失された状態にあると判定する紛失判定手段として機能させる、携帯端末の紛失検出プログラムが提供される。
【発明の効果】
【０００９】
本願発明によれば、携帯端末自身の紛失を検出することができる。
【図面の簡単な説明】
【００１０】
【図１】図１は、携帯端末の機能ブロック図である。（第１実施形態）
【図２】図２は、携帯端末の構成を示す図である。（第２実施形態）
【図３】図３は、携帯端末の機能ブロック図である。（第２実施形態）
【図４】図４は、制御フローを示す図である。（第２実施形態）
【図５】図５は、制御フローを示す図である。（第２実施形態）
【図６】図６は、制御フローを示す図である。（第２実施形態）
【図７】図７は、制御フローを示す図である。（第２実施形態）
【発明を実施するための形態】
【００１１】
（第１実施形態）
図１に示すように、携帯電話機１（携帯端末）は、携帯電話機本体２（携帯端末本体）と、第１所定時間記憶部３（第１所定時間記憶手段）と、第１タイマ４と、移動検知部５（移動検知手段）と、第１タイマ初期化部６（第１タイマ初期化手段）と、第１紛失判定部７（第１紛失判定手段）と、を備えている。
【００１２】
第１所定時間記憶部３は、第１所定時間を記憶するものである。
【００１３】
第１タイマ４は、時間を計測するものである。
【００１４】
移動検知部５は、携帯電話機本体２の移動を検知可能なものである。移動検知部５は、例えば、加速度センサやGPSなどを含んで構成される。
【００１５】
第１タイマ初期化部６は、移動検知部５が携帯電話機本体２の移動を検知したら、第１タイマ４を初期化するものである。
【００１６】
第１紛失判定部７は、第１タイマ４が計測した時間が第１所定時間に達したら、携帯電話機１自身が紛失された状態にあると判定するものである。
【００１７】
以上の構成によれば、携帯電話機１自身の紛失を検出することができる。
【００１８】
（第２実施形態）
図２に示すように、携帯電話機１は、CPU８（Central Processing Unit）、ROM９（Read Only Memory）、RAM１０（Random Access Memory）、LCD１１（Liquid Crystal Display）、キーボード１２、無線通信部１３、RTC１４（Real Time Clock）、加速度センサ１５、GPSユニット１６（Global Positioning System）、携帯電話機本体１７と、を備えている。CPU８等は、バス１８で相互に接続されている。
【００１９】
CPU８は、中央演算処理器である。ROM９は、読み出し専用の記憶手段である。ROM９には、制御プログラムが記憶されている。RAM１０は、読み書き自在の記憶手段である。LCD１１は、表示器である。キーボード１２は、ユーザが操作可能な入力手段である。無線通信部１３は、通話やEメール送受信、データ通信を行うための通信手段である。RTC１４は、計時専用のチップである。加速度センサ１５は、携帯電話機本体１７の加速度を検知するものである。GPSユニット１６は、携帯電話機本体１７の位置を検知するものである。
【００２０】
そして、ROM９に記憶されている制御プログラムをCPU８が読み込み、この制御プログラムがCPU８上で実行されることで、制御プログラムは、図２に示すCPU８等のハードウェアを、図３に示すように、第１所定時間記憶部２０、第２所定時間記憶部２１、第３所定時間記憶部２２、第４所定時間記憶部２３、第１タイマ２４、第２タイマ２５、第３タイマ２６、第４タイマ２７、移動検知部２８、第１タイマ初期化部２９、第１紛失判定部３０、第２タイマ開始部３１、第２タイマ停止部３２、第２紛失判定部３３、第３タイマ開始部３４、第３タイマ停止部３５、第３紛失判定部３６、第４タイマ開始部３７、第４タイマ停止部３８、第４紛失判定部３９、アクセス禁止部４０、紛失通知部４１、私的データ消去部４２、通話部４３、Eメール送受信部４４、データ通信部４５、ｆｌｇA４６、ｆｌｇB４７、ｆｌｇC４８、私的データ記憶部４９として機能させる。
【００２１】
第１所定時間記憶部２０（第１所定時間記憶手段）は、第１所定時間を記憶するものである。第１所定時間は、例えば３０時間である。
【００２２】
第２所定時間記憶部２１（第２所定時間記憶手段）は、第２所定時間を記憶するものである。第２所定時間は、第１所定時間よりも短く設定されている。第２所定時間は、例えば１０時間である。
【００２３】
第３所定時間記憶部２２（第３所定時間記憶手段）は、第３所定時間を記憶するものである。第３所定時間は、第１所定時間よりも短く設定されている。第３所定時間は、例えば１０時間である。
【００２４】
第４所定時間記憶部２３（第４所定時間記憶手段）は、第４所定時間を記憶するものである。第４所定時間は、例えば５時間である。
【００２５】
第１タイマ２４、第２タイマ２５、第３タイマ２６、第４タイマ２７は、何れも時間を計測するものである。
【００２６】
移動検知部２８（移動検知手段）は、携帯電話機本体１７の移動を検知可能なものである。移動検知部２８は、主として、加速度センサ１５やGPSユニット１６によって実現されている。
【００２７】
第１タイマ初期化部２９（第１タイマ初期化手段）は、移動検知部２８が携帯電話機本体１７の移動を検知したら、第１タイマ２４を初期化する（リセットする、初期値に戻す。）ものである。
【００２８】
第１紛失判定部３０（第１紛失判定手段）は、第１タイマ２４が計測した時間が第１所定時間に達したら、携帯電話機１自身が紛失された状態にあると判定するものである。
【００２９】
第２タイマ開始部３１（第２タイマ開始手段）は、通話着信があったら、第２タイマ２５の計測を開始させるものである。
【００３０】
第２タイマ停止部３２（第２タイマ停止手段）は、キーボード１２が操作されたら、第２タイマ２５の計測を停止させるものである。
【００３１】
第２紛失判定部３３（第２紛失判定手段）は、第２タイマ２５が計測した時間が第２所定時間に達したら、携帯電話機１自身が紛失された状態にあると判定するものである。
【００３２】
第３タイマ開始部３４（第３タイマ開始手段）は、Eメール着信があったら、第３タイマ２６の計測を開始させるものである。
【００３３】
第３タイマ停止部３５（第３タイマ停止手段）は、キーボード１２が操作されたら、第３タイマ２６の計測を停止させるものである。
【００３４】
第３紛失判定部３６（第３紛失判定手段）は、第３タイマ２６が計測した時間が第３所定時間に達したら、携帯電話機１自身が紛失された状態にあると判定するものである。
【００３５】
第４タイマ開始部３７（第４タイマ開始手段）は、紛失通知部４１による紛失通知Eメールの送信があったら、第４タイマ２７の計測を開始させるものである。
【００３６】
第４タイマ停止部３８（第４タイマ停止手段）は、アクセス禁止部４０による私的データへのアクセスの禁止を解除する旨の解除メールを受信したら、第４タイマ２７の計測を停止させるものである。
【００３７】
第４紛失判定部３９（第４紛失判定手段）は、第４タイマ２７が計測した時間が第４所定時間に達したら、私的データを私的データ記憶部４９から消去するものである。
【００３８】
アクセス禁止部４０（アクセス禁止手段）は、第１紛失判定部３０又は第２紛失判定部３３、第３紛失判定部３６の何れかにより携帯電話機１自身が紛失された状態にあるとの判定がなされた場合は、私的データ記憶部４９に記憶されている私的データへのアクセスを禁止するものである。「アクセスを禁止する」とは、例えば、データのファイル属性を変更することが挙げられる。
【００３９】
紛失通知部４１（紛失通知手段）は、第１紛失判定部３０又は第２紛失判定部３３、第３紛失判定部３６の何れかにより携帯電話機１自身が紛失された状態にあるとの判定がなされた場合は、所定宛先へ紛失通知Eメールを送信するものである。所定宛先とは、例えば、ユーザが所有する他のEメールアドレスなどが挙げられる。また、紛失通知Eメールとは、携帯電話機１自身が紛失された状態にあることを例えばユーザ等に通知するためのメールである。
【００４０】
私的データ消去部４２（私的データ消去手段）は、第４タイマ２７が計測した時間が第４所定時間に達したら、私的データを私的データ記憶部４９から消去するものである。また、私的データ消去部４２は、私的データを消去する前に、予め、私的データを所定のサーバに送信して退避させる。所定のサーバとは、予めユーザが指定したファイルサーバなどを意味する。
【００４１】
通話部４３（通話手段）は、通話を行うためのものである。
【００４２】
Eメール送受信部４４（Eメール送受信手段）は、Eメールの送受信を行うためのものである。
【００４３】
データ通信部４５（データ通信手段）は、データ通信を行うためのものである。
【００４４】
ｆｌｇA４６、ｆｌｇB４７、ｆｌｇC４８は、夫々容量が１ビットである記憶手段である。即ち、ｆｌｇA４６、ｆｌｇB４７、ｆｌｇC４８は、何れも、０又は１の二つの値のみを記憶可能となっている。
【００４５】
私的データ記憶部４９（私的データ記憶手段）は、私的データを記憶するものである。私的データとは、例えば、電話帳データやスケジュールデータ、画像データ、映像データ、発着信履歴データなどを意味する。
【００４６】
次に、図４〜図７に基づいて、携帯電話機１の作動を説明する。なお、携帯電話機１の電源投入時において、ｆｌｇA４６、ｆｌｇB４７、ｆｌｇC４８の値は０に設定されている。
【００４７】
先ず、図４において、携帯電話機１の電源を投入すると（S100）、CPU８は、第１タイマ２４に時間の計測を始めさせる（S110）。そして、CPU８は、第１タイマ２４を一旦、初期化する（S120）。次に、CPU８は、移動検知部２８が携帯電話機本体１７の移動を検知したか否かを確認する（S130）。移動検知部２８が携帯電話機本体１７の移動を検知していなかったら（S130:YES）、CPU８は、第１タイマ２４が計測した時間と第１所定時間とを比較する（S140）。第１タイマ２４が計測した時間が第１所定時間に達していたら（S140:YES）、第１紛失判定部３０は、携帯電話機１自身が紛失された状態にあると判定し、紛失処理を行う（S150）。
【００４８】
一方で、S130において、移動検知部２８が携帯電話機本体１７の移動を検知していたら（S130:NO）、第１タイマ初期化部２９は第１タイマ２４を初期化する（S120）。S140において、第１タイマ２４が計測した時間が第１所定時間に達していなかったら（S140:NO）、処理はS130に戻される。
【００４９】
要するに、第１紛失判定部３０は、携帯電話機本体１７の移動を最後に検知してから第１所定時間が経過したら携帯電話機１自身が紛失された状態にあると判定する。以上の制御フローによれば、携帯電話機１自身の紛失を検出することができる。
【００５０】
次に、図５において、通話着信が発生したとする（S200）。先ず、CPU８は、ｆｌｇA４６が０であるか確認する（S210）。ｆｌｇA４６の値が０である場合は（S210：YES）、第２タイマ開始部３１は、第２タイマ２５に時間の計測を開始させる（S220）。そして、ユーザが通話着信に応答しなかった場合は（S240:YES）、CPU８は、ｆｌｇA４６の値を１にセットする（S250）。続けて、CPU８は、キーボード１２が操作されたか判定する（S260）。キーボード１２が操作されていなかったら（S260:YES）、CPU８は、第２タイマ２５が計測した時間と第２所定時間とを比較する（S270）。第２タイマ２５が計測した時間が第２所定時間に達していたら（S270:YES）、第２紛失判定部３３は、携帯電話機１自身が紛失された状態にあると判定し、紛失処理を行う（S280）。
【００５１】
一方で、S210において、ｆｌｇA４６の値が０でない場合は（S210:NO）、CPU８は、処理を終了する（S230）。S240において、ユーザが通話着信に応答した場合は（S240:NO）、第２タイマ停止部３２は、第２タイマ２５による時間の計測を停止させ（S290）、第２タイマ２５をリセットし、CPU８は、ｆｌｇA４６の値を０にセットし（S295）、処理を終了する（S296）。S260において、キーボード１２が操作された場合は（S260:NO）、第２タイマ停止部３２は、第２タイマ２５による時間の計測を停止させ（S290）、第２タイマ２５をリセットし、CPU８は、ｆｌｇA４６の値を０にセットし（S295）、処理を終了する（S296）。S270において、第２タイマ２５が計測した時間が第２所定時間に達していなかったら（S270:NO）、処理はS260に戻される。
【００５２】
要するに、第２紛失判定部３３は、通話着信があったのに第２所定時間、継続してユーザから何ら反応がなかったら携帯電話機１自身が紛失された状態にあると判定する。以上の制御フローによれば、携帯電話機１自身の紛失を検出することができる。
【００５３】
次に、図６において、メール着信が発生したとする（S300）。先ず、CPU８は、ｆｌｇB４７が０であるか確認する（S310）。ｆｌｇB４７が０である場合は（S310：YES）、第３タイマ開始部３４は、第３タイマ２６に時間の計測を開始させる（S320）。そして、CPU８は、ｆｌｇB４７の値を１にセットする（S340）。続けて、CPU８は、キーボード１２が操作されたか判定する（S350）。キーボード１２が操作されていなかったら（S350:YES）、CPU８は、第３タイマ２６が計測した時間と第３所定時間とを比較する（S360）。第３タイマ２６が計測した時間が第３所定時間に達していたら（S360:YES）、第３紛失判定部３６は、携帯電話機１自身が紛失された状態にあると判定し、紛失処理を行う（S370）。
【００５４】
一方で、S310において、ｆｌｇB４７の値が０でない場合は（S310:NO）、CPU８は、処理を終了する（S330）。S350において、キーボード１２が操作された場合は（S350:NO）、第３タイマ停止部３５は、第３タイマ２６による時間の計測を停止させ（S380）、第３タイマ２６をリセットし、CPU８は、ｆｌｇB４７の値を０にセットし（S390）、処理を終了する（S395）。
S360において、第３タイマ２６が計測した時間が第３所定時間に達していなかったら（S360:NO）、処理はS350に戻される。
【００５５】
要するに、第３紛失判定部３６は、メール着信があったのに第３所定時間、継続してユーザから何ら反応がなかったら携帯電話機１自身が紛失された状態にあると判定する。以上の制御フローによれば、携帯電話機１自身の紛失を検出することができる。
【００５６】
次に、図７において、紛失処理の制御フローを説明する。先ず（S400）、CPU８は、ｆｌｇC４８の値が０であるか確認する（S410）。ｆｌｇC４８の値が０であった場合は（S410:YES）、第４タイマ開始部３７は、第４タイマ２７に時間の計測を開始させる（S420）。また、CPU８は、ｆｌｇC４８の値を１に設定する（S440）。次いで、アクセス禁止部４０は、私的データをアクセス不能な状態とすることで、私的データを保護する（S450）。そして、紛失通知部４１は、ユーザが所有する別のメールアドレスへ紛失通知Eメールを送信する（S460）。次に、CPU８は、解除メールを受信したか判定する（S470）。解除メールを受信していなかった場合は（S470:YES）、CPU８は、第４タイマ２７が計測した時間と第４所定時間とを比較する（S480）。第４タイマ２７が計測した時間が第４所定時間に達していたら（S480:YES）、私的データ消去部４２は、私的データを所定のサーバに送信して退避させると共に（S490）、私的データを消去し（S500）、処理を終了する（S501）。
【００５７】
一方、S410において、ｆｌｇC４８の値が０でなかった場合は（S410:NO）、処理を終了する（S430）。S470において、解除メールを受信していた場合は（S470:NO）、第４タイマ停止部３８は、第４タイマ２７による時間の計測を停止させ（S510）、CPU８は、ｆｌｇA４６、ｆｌｇB４７、ｆｌｇC４８の値を夫々０にセットすると共に（S520）、私的データの保護を解除して（S530）、私的データにアクセス可能な状態へと戻し、処理を終了する（S501）。S480において、第４タイマ２７が計測した時間が第４所定時間に達していなかった場合は（S480:NO）、処理はS470に戻される。
【００５８】
要するに、携帯電話機１自身が紛失された状態になったら、私的データを消去するようにしているので、紛失時に、私的データを第三者に閲覧されるのを未然に防止することができる。また、私的データを消去する前に予め私的データを退避させているので、ユーザは、必要に応じて私的データを再入手することが可能となる。
【符号の説明】
【００５９】
１  携帯電話機
２  携帯電話機本体
３  第１所定時間記憶部
４  第１タイマ
５  移動検知部
６  第１タイマ初期化部
７  第１紛失判定部
【図１】
2012080434.tif 000003
【図２】
2012080434.tif 000004
【図３】
2012080434.tif 000005
【図４】
2012080434.tif 000006
【図５】
2012080434.tif 000007
【図６】
2012080434.tif 000008
【図７】
2012080434.tif 000009